(57)【要約】      （修正有）【課題】効果的な広告送信が行える広告送信サーバなどを提供する。【解決手段】ユーザ属性データベース７と、動的ユーザ属性データベース１０とを有する広告送信サーバ２におけるユーザ検索方法で、広告情報提供者サーバ４に対して広告属性を受け付ける画面を送信し、広告情報提供者サーバ４から広告属性を受け付け、広告情報提供者サーバ４に対してユーザの属性を少なくとも１つ受け付ける画面を送信し、広告情報提供者サーバ４からユーザの属性を少なくとも１つ受け付け、受け付けた広告属性とユーザの属性に基づいて、動的ユーザ属性データベース１０を参照してユーザの属性ごとに広告情報のクリック数／クリック率を検索し、広告情報提供者サーバ４に対して、検索したクリック数／クリック率をユーザの属性ごとに表示する画面を送信するステップと、を有するユーザ検索方法である。【選択図】図１
2007026456.tif 000002
【特許請求の範囲】
【請求項１】
それぞれのユーザに関する情報および当該ユーザの属性を記憶するユーザ属性データベースと、それぞれのユーザについて当該ユーザに配信された広告情報の広告属性ごとに配信数とクリック数を格納する動的ユーザ属性データベースとを有する広告送信サーバにおいて、広告情報提供者サーバからの要求に応じて広告情報を配信するユーザを検索するユーザ検索方法であって、
当該方法は、
前記広告情報提供者サーバに対して広告情報の広告属性を受け付ける画面を送信する第１ステップと、
前記広告情報提供者サーバにおける操作に応じて当該広告情報提供者サーバから広告情報の広告属性を受け付ける第２ステップと、
前記広告情報提供者サーバに対してユーザの属性を少なくとも１つ受け付ける画面を送信する第３ステップと、
前記広告情報提供者サーバにおける操作に応じて当該広告情報提供者サーバからユーザの属性を少なくとも１つ受け付ける第４ステップと、
前記第２ステップにおいて受け付けた広告情報の広告属性と前記第４ステップにおいて受け付けたユーザの属性に基づいて、前記動的ユーザ属性データベースを参照してユーザの属性ごとに前記広告情報のクリック数またはクリック率を検索する第５ステップと、
前記広告情報提供者サーバに対して前記第５ステップで検索したクリック数またはクリック率をユーザの属性ごとに表示する画面を送信する第６ステップと、
を有することを特徴とするユーザ検索方法。
【請求項２】
前記動的ユーザ属性データベースは、ユーザに配信された広告情報の広告属性ごとにクリック数を期間毎に区切って格納しており、
前記方法は、さらに、
前記広告情報提供者サーバに対して検索期間を受け付ける画面を送信するステップと、
前記広告情報提供者サーバにおける操作に応じて当該広告情報提供者サーバから検索期間を受け付けるステップと、を有し、
前記第５ステップは、広告属性、ユーザ属性および検索期間に基づいて、前記動的ユーザ属性データベースを参照してユーザの属性ごとおよび検索期間ごとに前記広告情報のクリック数またはクリック率を検索することを特徴とする請求項１記載の方法。
【請求項３】
前記方法は、さらに、
ユーザ端末から前記ユーザに関する情報を受信して、当該ユーザに関する情報を前記ユーザ属性データベースに記憶するステップと、
前記ユーザに関する情報から前記ユーザの属性情報を分析して、当該属性情報を前記ユーザ属性データベースに記憶するステップと、
を有することを特徴とする、請求項１または２記載の方法。
【請求項４】
前記方法は、さらに、
前記広告送信サーバが前記広告情報提供者サーバから広告情報を受信するステップと、
受信した広告情報から広告属性を分析するステップと、
前記分析した広告属性を前記広告情報に対応付けて前記動的ユーザ属性データベースに記憶するステップと、
を有することを特徴とする、請求項１ないし３のいずれか１つに記載の方法。
【請求項５】
前記広告情報提供者サーバにおける操作に応じて当該広告情報提供者サーバから広告情報の広告属性を受け付ける第２ステップは、
前記広告情報を前記広告情報提供者サーバから受信して、前記広告情報の広告属性を分析するステップを含む、請求項１ないし４のいずれか１つに記載の方法。
【請求項６】
前記広告情報提供者サーバに対して広告情報の広告属性を受け付ける画面を送信する第１ステップは、前記広告情報提供者サーバに対して属性検索画面を送信するステップを含み、
前記広告情報提供者サーバにおける操作に応じて当該広告情報提供者サーバから広告情報の広告属性を受け付ける第２ステップは、前記属性検索画面における広告情報の広告属性の操作を受け付けるステップを含む、請求項１ないし５のいずれか１つに記載の方法。
【請求項７】
広告情報提供者が有する広告情報提供者サーバとの間でネットワークを介してデータの送受信が行えるサーバである広告送信サーバであって、
前記広告送信サーバは、
それぞれのユーザに関する情報および当該ユーザの属性を記憶するユーザ属性データベースと、
それぞれのユーザについて、当該ユーザに配信された広告情報の広告属性ごとに配信数とクリック数とを格納する動的ユーザ属性データベースと、
前記広告情報の広告属性を受け付ける画面を前記広告情報提供者サーバに対して送信することにより、前記広告情報提供者サーバにおける操作に応じた広告情報の広告属性を受け付ける手段と、
ユーザの属性について少なくとも一つ以上の入力を受け付ける画面を前記広告情報提供者サーバに対して送信することにより、前記広告情報提供者サーバにおける操作に応じたユーザの属性を、前記広告情報提供者サーバから少なくとも一つ以上受け付ける手段と、
前記受け付けた広告情報の広告属性と、前記受け付けたユーザの属性とに基づいて、前記動的ユーザ属性データベースを参照してユーザの属性ごとに、前記広告情報のクリック数またはクリック率を検索する検索手段と、
前記クリック数または前記クリック率をユーザの属性ごとに表示する画面を前記広告情報提供者サーバに対して送信する手段と、
を有することを特徴とする広告送信サーバ。
【請求項８】
前記動的ユーザ属性データベースは、当該ユーザに配信された広告情報の広告属性ごとに配信数とクリック数とを期間毎に区切って格納しており、
前記広告送信サーバは、更に、
検索対象とする期間を受け付ける画面を前記広告情報提供者サーバに対して送信することにより、前記広告情報提供者サーバにおける操作に応じて前記検索期間を受け付ける手段、を有しており、
前記検索の際には、広告属性、ユーザ属性及び検索期間に基づいて、前記動的ユーザ属性データベースを参照してユーザの属性ごとに、前記広告情報のクリック数またはクリック率を検索する、
ことを特徴とする請求項７に記載の広告送信サーバ。
【請求項９】
前記広告送信サーバは、更に、
前記ユーザの有するユーザ端末から前記ユーザに関する情報を受信して、当該ユーザに関する情報を前記ユーザ属性データベースに記憶するユーザ属性登録手段と、
前記ユーザに関する情報から前記ユーザの属性情報を分析して、当該属性情報を前記ユーザ属性データベースに記憶するユーザ属性分析手段と、
を有することを特徴とする請求項７または請求項８に記載の広告送信サーバ。
【請求項１０】
前記広告送信サーバは、更に、
前記広告情報提供者サーバから前記広告情報を受信する広告情報受信手段と、
前記受信した広告情報の広告属性を分析する広告属性分析手段と、
前記分析した広告属性を前記広告情報に対応づけて前記動的ユーザ属性データベースに記憶する配信手段と、
を有することを特徴とする請求項７から請求項９のいずれかに記載の広告送信サーバ。
【請求項１１】
前記広告送信サーバは、
前記広告情報提供者サーバから広告情報の広告属性を受け付ける際に、前記広告情報を前記広告情報提供者サーバから前記広告情報受信手段で受信して、前記広告属性分析手段における広告属性の分析を行う、
ことを特徴とする請求項７から請求項１０のいずれかに記載の広告送信サーバ。
【請求項１２】
前記広告送信サーバは、
前記広告情報提供者サーバからユーザの属性を受け付ける際に、前記広告情報提供者サーバに対して属性検索画面を送信し、その後、前記属性検索画面における広告情報の広告属性の操作を受け付ける、
ことを特徴とする請求項７から請求項１１のいずれかに記載の広告送信サーバ。
【請求項１３】
それぞれのユーザに関する情報および当該ユーザの属性を記憶するユーザ属性データベースと、それぞれのユーザについて、当該ユーザに配信された広告情報の広告属性ごとに配信数とクリック数とを格納する動的ユーザ属性データベースと、が記憶されている広告送信サーバに読み込ませることにより、広告送信システムを実現させるための広告送信プログラムであって、
前記広告送信サーバを、
前記広告情報の広告属性を受け付ける画面を広告情報提供者サーバに対して送信することにより、前記広告情報提供者サーバにおける操作に応じた広告情報の広告属性を受け付ける手段、
ユーザの属性について少なくとも一つ以上の入力を受け付ける画面を前記広告情報提供者サーバに対して送信することにより、前記広告情報提供者サーバにおける操作に応じたユーザの属性を、前記広告情報提供者サーバから少なくとも一つ以上受け付ける手段、
前記受け付けた広告情報の広告属性と、前記受け付けたユーザの属性とに基づいて、前記動的ユーザ属性データベースを参照してユーザの属性ごとに、前記広告情報のクリック数またはクリック率を検索し、それをユーザの属性ごとに表示する画面を前記広告情報提供者サーバに対して送信する手段、
として機能させるための広告送信プログラム。
【請求項１４】
前記動的ユーザ属性データベースは、当該ユーザに配信された広告情報の広告属性ごとに配信数とクリック数とを期間毎に区切って格納しており、
前記広告送信プログラムは、
前記広告送信サーバを、更に、
検索対象とする期間を受け付ける画面を前記広告情報提供者サーバに対して送信することにより、前記広告情報提供者サーバにおける操作に応じて前記検索期間を受け付ける手段、として機能させ、
前記検索の際には、広告属性、ユーザ属性及び検索期間に基づいて、前記動的ユーザ属性データベースを参照してユーザの属性ごとに、前記広告情報のクリック数またはクリック率を検索する、
ことを特徴とする請求項１３に記載の広告送信プログラム。
【請求項１５】
前記広告送信プログラムは、
前記広告送信サーバを、更に、
前記ユーザの有するユーザ端末から前記ユーザに関する情報を受信して、当該ユーザに関する情報を前記ユーザ属性データベースに記憶するユーザ属性登録手段、
前記ユーザに関する情報から前記ユーザの属性情報を分析して、当該属性情報を前記ユーザ属性データベースに記憶するユーザ属性分析手段、
として機能させることを特徴とする請求項１３または請求項１４に記載の広告送信プログラム。
【請求項１６】
前記広告送信プログラムは、
前記広告送信サーバを、更に、
前記広告情報提供者サーバから前記広告情報を受信する広告情報受信手段、
前記受信した広告情報の広告属性を分析する広告属性分析手段、
前記分析した広告属性を前記広告情報に対応づけて前記動的ユーザ属性データベースに記憶する配信手段、
として機能させることを特徴とする請求項１３から請求項１５のいずれかに記載の広告送信プログラム。
【請求項１７】
前記広告送信プログラムは、
前記広告送信サーバを、更に、
前記広告情報提供者サーバから広告情報の広告属性を受け付ける際に、前記広告情報を前記広告情報提供者サーバから前記広告情報受信手段で受信して、前記広告属性分析手段における広告属性の分析を行う、
ように機能させることを特徴とする請求項１３から請求項１６のいずれかに記載の広告送信プログラム。
【請求項１８】
前記広告送信プログラムは、
前記広告送信サーバを、更に、
前記広告情報提供者サーバからユーザの属性を受け付ける際に、前記広告情報提供者サーバに対して属性検索画面を送信し、その後、前記属性検索画面における広告情報の広告属性の操作を受け付ける、
ように機能させることを特徴とする請求項１３から請求項１７のいずれかに記載の広告送信プログラム。
【発明の詳細な説明】
【技術分野】
【０００１】
本発明は、効果的な広告送信が行える広告送信サーバ、広告送信プログラム及びユーザ検索方法に関する。
【背景技術】
【０００２】
従来、ネットワーク上で広告（本発明に於いて広告とは、ネットワーク上に於ける広告を示し広告媒体としてはバナー広告・メールマガジン・メール広告（オプトインメール・ダイレクトメール等）等を含むが、本実施態様に於いてはメール広告をその一例とする。尚、広告媒体が如何なるものであろうとも本発明に制限を加えることはない）を送信する際には、その送信の無駄をなくす為に、予め何らかの方法により送信先を抽出しその抽出された送信先に対して広告を送信している。
【０００３】
それらの広告送信方法には以下のように大別して２種類が存在している。
（１）ユーザが意識的にユーザ自身の属性を登録し、その属性に応じて広告送信を行う。
（２）ユーザが意識せずにユーザのプロファイル（ネットワーク上に於ける行動パターン）を自動的に分析しその属性を自動的に登録し、それに応じて広告送信を行う。
【０００４】
前者の広告送信方法は、特開平９−１６３３５２号や特開平９−２５１２９６号に代表され、ユーザに負担を生じさせる上に、且つユーザの自己申告をそのまま使用する為、果たして自己申告が正確であるか否かと言うことが確認できない。また、属性登録を実行していないユーザに対してはユーザに適した広告送信を行うことが困難である。これに対処する方法として特開平９−３０５５１８号に示されるようにＩＰアドレス（端末の位置情報）を用いてユーザの属性を割り出し、ユーザに適した広告送信を行う広告送信方法がある。しかし、この方法では、ネットワークが多様化している現在では、正確な属性を取得できているとは言い難い。つまり、ＩＰアドレスはユーザが使用しているサーバの所在地を示しているものの、日本国内のユーザが例えば米国のサーバを利用しＩＰアドレスを利用していることは頻繁に行われている為、精確な属性を取得は出来ていないと言えるからである。又所在地、所属する組織の大まかな組織分類ぐらいしかこの方法では取得できず、ユーザの嗜好性等のユーザの人間性に関する属性を取得することは特開平９−３０５５１８号からでは困難である。
【０００５】
又、後者の広告送信方法は、特開２０００−５７１５７号に示されるように、ユーザに意識させることなくユーザのプロファイルを自動的に分析して、ユーザの属性を自動的に取得するものである。しかしこの方式の場合、ユーザの属性に関するデータは常に最新ではあるが、ユーザの属性の変移を知ることは困難である。従って、ユーザの属性は時間経過、生活環境の変化（結婚や就職、出産、転職等）により変化することは当然であり、それによりプロファイルも随時変更される（即ち、最新のプロファイルを有している）が、例えば１０年前のユーザの属性を遡及して知ることは困難である。加えて、ユーザのプロファイルを収拾する為にサーバ上にプロファイルデータを送信しなければならず、ネットワークのトラフィックを増加させ、ユーザへのレスポンスを遅延させる面がある。
【０００６】
加えて、従来の広告送信方法（前者、後者を問わず）でユーザに対して送信される広告の属性は、広告情報提供者あるいは管理者（広告送信業者）が主観的に定めていたが、これは広告情報提供者あるいは管理者に対して時間的・費用的負担を強いることとなっている。
【０００７】
【特許文献１】特開平９−１６３３５２号公報
【特許文献２】特開平９−２５１２９６号公報
【特許文献３】特開平９−３０５５１８号公報
【特許文献４】特開２０００−５７１５７号公報
【発明の開示】
【発明が解決しようとする課題】
【０００８】
上記問題点に鑑み、本発明者等は以下のような特色を有する広告送信システムを発明した。
（１）ユーザが主観的に登録するユーザ属性を、統計的手法を用い重要な要素を抽出し、全体の母集団の中から客観的に再評価しユーザ属性（このようなユーザ属性を因子属性とする）を検証する。
（２）（１）の作業を定期的あるいは不定期に実行することによりユーザによる新たな属性登録あるいはユーザプロファイルの分析がなくとも、ユーザ属性の変移（ユーザが全体に占める位置の変移あるいは過去の任意の時点に於ける、ユーザが全体に占める位置）を把握できる。
（３）ユーザに送信する広告の文章を自動解析することにより自動的に広告の属性を取得する。
（４）広告に対するユーザの反応を過去に遡及しそれに応じて広告送信が行える。即ち、ユーザの過去からの反応状況を把握できる。
（５）複数セッションを通して同一ユーザであることを認識でき、そのユーザを特定することが可能となる。
【０００９】
第一は、従来はユーザが主観的に登録をしていたユーザ属性を、予め定められた分析手段（本実施態様に於いては数量化理論第ＩＩＩ類を用いて分析を実行するが、他の手段によっても良いことは言うまでもない。他の手段として例えば、回帰分析、重回帰分析、主成分分析、判別分析、因子分析、正準相関分析、数量化理論第Ｉ類、数量化理論第ＩＩ類、数量化理論第ＩＶ類、ニューラルネットワーク分析、決定木分析、クラスタ分析、アソシエーションルール分析、ロジスティック回帰分析がある）を付加することにより、ユーザが登録した属性を客観的に再評価する。即ち、因子属性を導出することにより、より精確なユーザの属性を把握できる。
【００１０】
第二は、第一の特徴を定期的（不定期でも良いことは言うまでもない）に実行することにより、例えば１０年前は「革新的」傾向を有するユーザ属性と判断されていたユーザが、現在では「保守的」と判断される、といった因子属性の変移を把握することが可能となる。即ち、従来は、一度ユーザが登録したユーザ属性は時間の経過を経ても属性は不変であり、ユーザ属性を変更するには新たなユーザ属性の登録、もしくはユーザプロファイルの分析が必要であった。しかし、本特色は、ユーザは一度しかユーザ属性登録を行わず、又ユーザプロファイルの分析も必要なしに、母集団の中でユーザが位置するユーザ属性（即ち、客観的なユーザ属性である因子属性）が時間と共に動的に変化しそれを把握出来ることを意味している。又、サーバとの間でプロファイルのデータの送受信を送ることも、あるいは新たなユーザ属性を送信することもないので、ネットワークのトラフィックを減少させ、ネットワークへの負荷を減少させることに繋がる。
【００１１】
第三は、広告情報提供者が広告情報を（広告送信業者が有する）サーバに送信すると、広告情報提供者あるいは広告送信業者による広告に対する属性登録がなくとも自動的に文章解析し、その広告が属する広告属性を分析する。これは、従来広告の属性登録の際に発生する人為的な登録ミスを排除し、より精確に属性を選出し登録することを可能とする。又従来広告情報提供者あるいは広告送信業者には時間的・費用的負担を強いていたがそれを削減することを併せて可能にした。
【００１２】
第四は、動的な構成を有するユーザ属性のデータベースにより、過去に遡及してユーザ属性の把握が可能となる。例えば、テレビを例とする。ユーザが現在、テレビに関する広告を頻繁に閲覧しその頻度が他の広告と比較して閲覧率が高い場合ユーザは「現在」、テレビに関してかなりの関心を有していると言える。それは即ちそのユーザに対してテレビに関する広告送信を行えば、広告の効率が良いことを意味している。その為、現在の広告送信システムの多くはそのユーザに対して、テレビに関する広告送信を重点的に行う。しかし、ユーザがテレビをある時点で購入した場合、それ以降についてはテレビに関する広告が送信されても閲覧する可能性は極端に減少する（即ち、閲覧率が減少する）。そして現在の広告送信システムは、この広告の閲覧率の低下に基づきユーザに対してテレビの広告を送信することを停止する。テレビのライフサイクルが平均５年であると仮定した場合、購入時点（広告閲覧率が減少した時点）から「５年後」に再びテレビに関する広告を送信すれば、その広告に対して閲覧率が向上するであろう。しかし、現在の広告送信システムでは、最新のユーザ属性は有しているが過去に遡及することができない為困難である。第四はこの点をカバーしている。これにより、例えば物に対する属性であればそのライフサイクル等を勘案し過去のユーザ属性を参照し広告送信を行うことが可能となる。即ち、広告送信の際に、最新のユーザ属性のみではなく、過去のユーザ属性も参照することを可能とすることにより広告送信を行い広告閲覧率の向上を図り、効果的な広告送信を行う。
【００１３】
第五は、従来ではウェブ上で広告をクリックする際に、ユーザ属性を収集し分析する手法の一つとしてｃｏｏｋｉｅやＩＰアドレス等を用いる方法があったが、これはセッション毎に同一ユーザに対して異なったＩＤが付与される為、複数のセッションを通して同一ユーザに関する情報を蓄積するのが困難であった。しかし、本願発明に於いては、送信先となるユーザを特定しそのユーザから反応をサーバで受信することにより、ユーザの特定を可能とし又その分析を可能とする。
【課題を解決するための手段】
【００１４】
請求項１の発明は、それぞれのユーザに関する情報および当該ユーザの属性を記憶するユーザ属性データベースと、それぞれのユーザについて当該ユーザに配信された広告情報の広告属性ごとに配信数とクリック数を格納する動的ユーザ属性データベースとを有する広告送信サーバにおいて、広告情報提供者サーバからの要求に応じて広告情報を配信するユーザを検索するユーザ検索方法であって、当該方法は、前記広告情報提供者サーバに対して広告情報の広告属性を受け付ける画面を送信する第１ステップと、前記広告情報提供者サーバにおける操作に応じて当該広告情報提供者サーバから広告情報の広告属性を受け付ける第２ステップと、前記広告情報提供者サーバに対してユーザの属性を少なくとも１つ受け付ける画面を送信する第３ステップと、前記広告情報提供者サーバにおける操作に応じて当該広告情報提供者サーバからユーザの属性を少なくとも１つ受け付ける第４ステップと、前記第２ステップにおいて受け付けた広告情報の広告属性と前記第４ステップにおいて受け付けたユーザの属性に基づいて、前記動的ユーザ属性データベースを参照してユーザの属性ごとに前記広告情報のクリック数またはクリック率を検索する第５ステップと、前記広告情報提供者サーバに対して前記第５ステップで検索したクリック数またはクリック率をユーザの属性ごとに表示する画面を送信する第６ステップと、を有するユーザ検索方法である。
【００１５】
請求項２の発明において、前記動的ユーザ属性データベースは、ユーザに配信された広告情報の広告属性ごとにクリック数を期間毎に区切って格納しており、前記方法は、さらに、前記広告情報提供者サーバに対して検索期間を受け付ける画面を送信するステップと、前記広告情報提供者サーバにおける操作に応じて当該広告情報提供者サーバから検索期間を受け付けるステップと、を有し、前記第５ステップは、広告属性、ユーザ属性および検索期間に基づいて、前記動的ユーザ属性データベースを参照してユーザの属性ごとおよび検索期間ごとに前記広告情報のクリック数またはクリック率を検索する方法である。
【００１６】
請求項３の発明において、前記方法は、さらに、ユーザ端末から前記ユーザに関する情報を受信して、当該ユーザに関する情報を前記ユーザ属性データベースに記憶するステップと、前記ユーザに関する情報から前記ユーザの属性情報を分析して、当該属性情報を前記ユーザ属性データベースに記憶するステップと、を有する方法である。
【００１７】
請求項４の発明において、前記方法は、さらに、前記広告送信サーバが前記広告情報提供者サーバから広告情報を受信するステップと、受信した広告情報から広告属性を分析するステップと、前記分析した広告属性を前記広告情報に対応付けて前記動的ユーザ属性データベースに記憶するステップと、を有する方法である。
【００１８】
請求項５の発明において、前記広告情報提供者サーバにおける操作に応じて当該広告情報提供者サーバから広告情報の広告属性を受け付ける第２ステップは、前記広告情報を前記広告情報提供者サーバから受信して、前記広告情報の広告属性を分析するステップを含む方法である。
【００１９】
請求項６の発明において、前記広告情報提供者サーバに対して広告情報の広告属性を受け付ける画面を送信する第１ステップは、前記広告情報提供者サーバに対して属性検索画面を送信するステップを含み、前記広告情報提供者サーバにおける操作に応じて当該広告情報提供者サーバから広告情報の広告属性を受け付ける第２ステップは、前記属性検索画面における広告情報の広告属性の操作を受け付けるステップを含む、方法である。
【００２０】
請求項７の発明は、広告情報提供者が有する広告情報提供者サーバとの間でネットワークを介してデータの送受信が行えるサーバである広告送信サーバであって、前記広告送信サーバは、それぞれのユーザに関する情報および当該ユーザの属性を記憶するユーザ属性データベースと、それぞれのユーザについて、当該ユーザに配信された広告情報の広告属性ごとに配信数とクリック数とを格納する動的ユーザ属性データベースと、前記広告情報の広告属性を受け付ける画面を前記広告情報提供者サーバに対して送信することにより、前記広告情報提供者サーバにおける操作に応じた広告情報の広告属性を受け付ける手段と、ユーザの属性について少なくとも一つ以上の入力を受け付ける画面を前記広告情報提供者サーバに対して送信することにより、前記広告情報提供者サーバにおける操作に応じたユーザの属性を、前記広告情報提供者サーバから少なくとも一つ以上受け付ける手段と、前記受け付けた広告情報の広告属性と、前記受け付けたユーザの属性とに基づいて、前記動的ユーザ属性データベースを参照してユーザの属性ごとに、前記広告情報のクリック数またはクリック率を検索する検索手段と、前記クリック数または前記クリック率をユーザの属性ごとに表示する画面を前記広告情報提供者サーバに対して送信する手段と、を有する広告送信サーバである。
【００２１】
請求項８の発明において、前記動的ユーザ属性データベースは、当該ユーザに配信された広告情報の広告属性ごとに配信数とクリック数とを期間毎に区切って格納しており、前記広告送信サーバは、更に、検索対象とする期間を受け付ける画面を前記広告情報提供者サーバに対して送信することにより、前記広告情報提供者サーバにおける操作に応じて前記検索期間を受け付ける手段、を有しており、前記検索の際には、広告属性、ユーザ属性及び検索期間に基づいて、前記動的ユーザ属性データベースを参照してユーザの属性ごとに、前記広告情報のクリック数またはクリック率を検索する、広告送信サーバである。
【００２２】
請求項９の発明において、前記広告送信サーバは、更に、前記ユーザの有するユーザ端末から前記ユーザに関する情報を受信して、当該ユーザに関する情報を前記ユーザ属性データベースに記憶するユーザ属性登録手段と、前記ユーザに関する情報から前記ユーザの属性情報を分析して、当該属性情報を前記ユーザ属性データベースに記憶するユーザ属性分析手段と、を有する広告送信サーバである。
【００２３】
請求項１０の発明において、前記広告送信サーバは、更に、前記広告情報提供者サーバから前記広告情報を受信する広告情報受信手段と、前記受信した広告情報の広告属性を分析する広告属性分析手段と、前記分析した広告属性を前記広告情報に対応づけて前記動的ユーザ属性データベースに記憶する配信手段と、を有する広告送信サーバである。
【００２４】
請求項１１の発明において、前記広告送信サーバは、前記広告情報提供者サーバから広告情報の広告属性を受け付ける際に、前記広告情報を前記広告情報提供者サーバから前記広告情報受信手段で受信して、前記広告属性分析手段における広告属性の分析を行う、広告送信サーバである。
【００２５】
請求項１２の発明において、前記広告送信サーバは、前記広告情報提供者サーバからユーザの属性を受け付ける際に、前記広告情報提供者サーバに対して属性検索画面を送信し、その後、前記属性検索画面における広告情報の広告属性の操作を受け付ける、広告送信サーバである。
【００２６】
請求項１３の発明は、それぞれのユーザに関する情報および当該ユーザの属性を記憶するユーザ属性データベースと、それぞれのユーザについて、当該ユーザに配信された広告情報の広告属性ごとに配信数とクリック数とを格納する動的ユーザ属性データベースと、が記憶されている広告送信サーバに読み込ませることにより、広告送信システムを実現させるための広告送信プログラムであって、前記広告送信サーバを、前記広告情報の広告属性を受け付ける画面を広告情報提供者サーバに対して送信することにより、前記広告情報提供者サーバにおける操作に応じた広告情報の広告属性を受け付ける手段、ユーザの属性について少なくとも一つ以上の入力を受け付ける画面を前記広告情報提供者サーバに対して送信することにより、前記広告情報提供者サーバにおける操作に応じたユーザの属性を、前記広告情報提供者サーバから少なくとも一つ以上受け付ける手段、前記受け付けた広告情報の広告属性と、前記受け付けたユーザの属性とに基づいて、前記動的ユーザ属性データベースを参照してユーザの属性ごとに、前記広告情報のクリック数またはクリック率を検索し、それをユーザの属性ごとに表示する画面を前記広告情報提供者サーバに対して送信する手段、として機能させるための広告送信プログラムである。
【００２７】
請求項１４の発明において、前記動的ユーザ属性データベースは、当該ユーザに配信された広告情報の広告属性ごとに配信数とクリック数とを期間毎に区切って格納しており、前記広告送信プログラムは、前記広告送信サーバを、更に、検索対象とする期間を受け付ける画面を前記広告情報提供者サーバに対して送信することにより、前記広告情報提供者サーバにおける操作に応じて前記検索期間を受け付ける手段、として機能させ、前記検索の際には、広告属性、ユーザ属性及び検索期間に基づいて、前記動的ユーザ属性データベースを参照してユーザの属性ごとに、前記広告情報のクリック数またはクリック率を検索する、広告送信プログラムである。
【００２８】
請求項１５の発明において、前記広告送信プログラムは、前記広告送信サーバを、更に、前記ユーザの有するユーザ端末から前記ユーザに関する情報を受信して、当該ユーザに関する情報を前記ユーザ属性データベースに記憶するユーザ属性登録手段、前記ユーザに関する情報から前記ユーザの属性情報を分析して、当該属性情報を前記ユーザ属性データベースに記憶するユーザ属性分析手段、として機能させる広告送信プログラムである。
【００２９】
請求項１６の発明において、前記広告送信プログラムは、前記広告送信サーバを、更に、前記広告情報提供者サーバから前記広告情報を受信する広告情報受信手段、前記受信した広告情報の広告属性を分析する広告属性分析手段、前記分析した広告属性を前記広告情報に対応づけて前記動的ユーザ属性データベースに記憶する配信手段、として機能させる広告送信プログラムである。
【００３０】
請求項１７の発明において、前記広告送信プログラムは、前記広告送信サーバを、更に、前記広告情報提供者サーバから広告情報の広告属性を受け付ける際に、前記広告情報を前記広告情報提供者サーバから前記広告情報受信手段で受信して、前記広告属性分析手段における広告属性の分析を行う、ように機能させる広告送信プログラムである。
【００３１】
請求項１８の発明において、前記広告送信プログラムは、前記広告送信サーバを、更に、前記広告情報提供者サーバからユーザの属性を受け付ける際に、前記広告情報提供者サーバに対して属性検索画面を送信し、その後、前記属性検索画面における広告情報の広告属性の操作を受け付ける、ように機能させる広告送信プログラムである。
【発明の効果】
【００３２】
本発明により、
（１）ユーザが自発的に入力したユーザ属性を元に母集団の中での位置を客観的に評価することが可能となった。
（２）因子属性という概念を用いることによりユーザは一回だけユーザ属性を入力すれば、その後のユーザ属性が母集団に於いてどのように変化しているかを自動的に修正していくことが可能となった。
（３）広告情報が有する属性を自動解析させることにより人為的なミスを防止し、なおかつ精確な広告属性の付加が可能となり、より効果的な広告送信が可能となった。
（４）ユーザの反応を過去に遡及し分析できることにより、商品のライフサイクル等を勘案した広告送信等、より効果的な広告効果を現出させることが可能となった。
（５）客観的な評価をプロセスに付加させることにより、従来の広告送信システムより送信先の精確なターゲティングが可能となり、併せて時間的、費用的削減が可能となった。
（６）複数セッションを通して同一ユーザであることを認識でき、そのユーザを特定することが可能となった。
【発明を実施するための最良の形態】
【００３３】
本発明の実施態様を図を用いて詳細に説明する。図１は本発明のシステム構成図の一例である。本実施態様では、サーバ２からなる広告送信システム１が、ユーザが操作するパソコンやＰＤＡ（Ｐｅｒｓｏｎａｌ  Ｄｉｇｉｔａｌ  Ａｓｓｉｓｔａｎｔ）等のユーザ端末３及び広告情報提供者が操作する広告情報提供者サーバ４とインターネットやＬＡＮ（Ｌｏｃａｌ  Ａｒｅａ  Ｎｅｔｗｏｒｋ）等に代表されるネットワーク５によって接続している。
【００３４】
サーバ２は、ユーザの属性に応じて広告情報提供者の提供する広告をユーザ端末３に送信する。サーバ２は、ユーザ属性登録手段６、ユーザ属性データベース７、ユーザ属性分析手段８、ユーザ検索手段９、動的ユーザ属性データベース１０、広告属性データベース１１、広告属性分析手段１２、広告情報受信手段１３、キーワード索引データベース１４、広告データベース１５、配信手段１６を有している。
【００３５】
ユーザ属性登録手段６は、ユーザ端末３にユーザ属性入力画面（アンケートを入力する画面）を送信し、そのアンケート結果情報をユーザ属性データベース７に登録する手段である。
【００３６】
ユーザ属性データベース７は、各ユーザの氏名、性別、年齢、職業、興味分野等の基礎情報及びアンケートに基づく属性情報をデータベース化して蓄えている。
【００３７】
ユーザ属性分析手段８は、ユーザの登録時のアンケートによって得られる、性別や年齢及び興味のある分野、性格等の属性情報をパターン化しユーザの客観的な属性である因子属性を導出する手段である。
【００３８】
ユーザ検索手段９は、因子属性（あるいはユーザ属性）や広告属性に応じて送信する広告の送信先を検索する手段であり、ユーザ属性データベース７、動的ユーザ属性データベース１０や広告属性データベース１１から必要な情報を検索する手段である。又、因子属性を検索する際には、既に格納されている回答パターンに応じて導出する。
【００３９】
動的ユーザ属性データベース１０は、ユーザ毎に予め規定された広告情報の属性（広告属性）カラムに送信された広告情報の数とクリックした広告情報の数を格納しているデータベースである。このデータは時間の経過と共に一定期間毎（１日毎、１ヵ月毎等）に区切られ、データベースに格納される。広告属性は詳細に分類されており、これらのうち特定の属性を持つ広告情報を一定期間内にクリックした数（反応数）によって、ユーザの広告情報への興味、関心の度合いを測るものである。従って一定期間内に特定の属性を有する広告に対する反応率が高いユーザほどその該当する属性を持った広告情報に関する興味、関心が高いと判断する。動的ユーザ属性データベース１０の構造を図７に示す。
【００４０】
広告属性データベース１１は、広告情報提供者の提供する広告の広告属性を判断する際用いられるキーワード群を格納しているデータベースである。即ち、送信する広告が有しているキーワード群を、広告属性として各広告が有する広告属性を登録し格納しているデータベースである。図８に広告属性データベース１１の構造の一例を示す。
【００４１】
広告属性分析手段１２は、広告情報提供者の提供する広告の広告属性を分析し、広告属性を広告属性データベース１１に登録する手段である。分析の方法としては、提供された広告に対して文章解析を行ない、広告の文章（広告情報）からキーワードとなる単語を数件から数十件抽出する。これらのキーワードが、各々広告属性データベース１１に登録されたキーワード群のどこに所属するかを、キーワード索引データベース１４（後述）を参照して決定する。該当したキーワード群は、その広告の広告属性を示すものであるので、このデータを広告属性データベース１１に対して送信し格納させる。
【００４２】
広告情報受信手段１３は広告情報提供者サーバ４が送信する広告情報を受信し、その受信した広告情報を広告属性分析手段１２に対して送信する手段である。又その広告が送信された後、広告データベース１５に対して送信し広告情報を登録させる。
【００４３】
キーワード索引データベース１４には、キーワード（単語）がどのキーワード群と対応しているかという情報が登録されているデータベースである。キーワード群の構成は以下のように算出される。広告属性分析手段１２が広告データベース１５に格納されている広告情報の文章解析の結果抽出された単語に対して、公知の手法により相関関係が高いとされた単語（群）が複数集まって構成された単語集団をキーワード群と呼ぶ。キーワード群のイメージ図を図１５に示す。キーワードとキーワード群との対応関係が格納されているデータベースがキーワード索引データベース１４である。図９にキーワード索引データベース１４の構造の一例を示す。
【００４４】
新規の広告情報を広告情報提供者サーバ４から広告情報受信手段１３が受信した場合、広告属性分析手段１２が広告情報受信手段１３から受信した広告情報の文章解析を行い、その結果、頻出単語として「外車」が該当していた場合、「外車」という単語のキーワード群をキーワード索引データベース１４から検索し、この場合には、「外車」と「クルマ」が対応しているのでキーワード群として「クルマ」が該当していることとなり、この広告は「クルマ」という広告属性を有していることとなる。本実施態様に於いてはキーワードは一つのキーワード群に属しているが、当然の事ながら、キーワードが複数のキーワード群に属していても良い。
【００４５】
広告データベース１５は、広告情報提供者が提供した広告情報をデータベース化して蓄えている。即ち、ユーザに対して送信された広告情報が蓄えられているデータベースである。
【００４６】
配信手段１６は、広告属性分析手段１２で分析された送信する広告属性に基づいて、ユーザ検索手段９から検索された前記送信する広告の送信先のユーザ端末３に対して広告を送信する手段である。又送信したユーザの送信結果を動的ユーザ属性データベース１０に対して送信し更新させる。
【００４７】
次に、本発明のプロセスの流れの一例を図１のシステム構成図、図２から図６のフローチャート図及び図７から図２１の概念図と画面イメージの一例を用いて詳細に説明する。
【００４８】
ユーザは、ユーザ端末３からサーバ２のＵＲＬ（Ｕｎｉｆｏｒｍ  Ｒｅｓｏｕｃｅ  Ｌｏｃａｔｏｒ）を打ち込む等してサーバ２にアクセスを行なう。ユーザが広告送信システム１を利用するのが初めてであれば、ユーザ登録を実行する。ユーザ登録の際にユーザは年齢、家族構成、嗜好特性、消費傾向等のユーザ属性についての詳細なアンケートに回答する（Ｓ１００）。ユーザ属性登録手段６は、ユーザ端末３に対してユーザ属性入力画面（アンケート）を送信する。アンケートの内容としては、性別、年齢、住所、既婚か否か、家族構成、職業、業種、インターネット利用環境、インターネット利用経験や目的、所有車種、趣味、興味、関心、収入等が挙げられる。ユーザ属性入力画面の一例を図１０に示す。又ユーザ属性入力画面に於いて質問されるユーザ属性の一例を図２０に示す。
【００４９】
Ｓ１００に於いてユーザ属性入力画面を通してユーザ端末３から入力されサーバ２のユーザ属性登録手段６で受信した新規ユーザ属性情報は（Ｓ１１０）、サーバ２のユーザ属性登録手段６で受信されユーザ属性データベース７に登録し格納される（Ｓ１２０）。ユーザ属性データベース７に登録された新規ユーザ情報は、ユーザ属性分析手段８に送信されユーザ属性分析手段８に於いてユーザ属性の客観的評価である因子属性を決定する。ユーザが自発的に登録したユーザ属性情報と母集団に於ける属性が果たして一致しているのかを検証し修正させても良い。同時に母集団に於けるユーザが占める因子属性に分類するため定期的あるいは不定期に全体の因子属性のパターンを分析する（Ｓ４００）。
【００５０】
Ｓ４００に於ける分析手法には、多変量解析や数量化理論等公知の分析手法が複数存在し本実施態様に於いてはその手法として数量化理論第ＩＩＩ類を用いるが、他の手法によっても良いことは言うまでもない。他の手法の一例として回帰分析、重回帰分析、主成分分析、判別分析、因子分析、正準相関分析、数量化理論第Ｉ類、数量化理論第ＩＩ類、数量化理論第ＩＶ類、ニューラルネットワーク分析、決定木分析、クラスタ分析、アソシエーションルール分析、ロジスティック回帰分析等があり、これらを用いても同様に実現することが可能である。
【００５１】
以下に数量化理論第ＩＩＩ類を用いてユーザの因子属性を算出するプロセスを説明する。ユーザ属性情報はＳ１２０に於いてユーザ属性データベース７に格納したように、「性格」「消費行動」等のユーザ属性入力画面の質問項目である各ジャンルとそれらに対しての回答と傾向を示したカテゴリ毎に区分けしユーザ属性データベース７に格納されている。ユーザ属性データベース７の構造の一例を図１１に示す。本実施態様では例として「性格」ジャンルを取り上げるが、その他各ジャンルに於いても以下の作業が為される。又「性格」ジャンルは「革新的」「論理的」「保守的」カテゴリ等を有し、アンケートの際に自己診断した結果は各々のカテゴリに対する該当の有無として１又は０の数字に変換されユーザ属性データベース７に格納される。
【００５２】
「性格」ジャンルの中に於ける、「革新的」カテゴリをはじめとしてカテゴリがｉ個存在し、又ユーザがｋ人存在する場合、ｉ番目のカテゴリについてｋ番目のユーザの反応（該当の有無）は変数Ｘｉ（ｋ）と表現でき、且つ変数Ｘｉ（ｋ）は１か０のどちらかである。
【００５３】
ユーザ属性データベース７に格納されている全て（あるいは一部でも良い）のユーザ属性情報をユーザ属性分析手段８は抽出する（Ｓ４１０）。抽出したユーザ属性情報から数量化理論第ＩＩＩ類に於いて用いられる、母集団に於けるカテゴリスコア（各カテゴリ間の統計的距離を意義ある任意の基準（因子軸）に照らして測定したもので、正数であれば軸に対してプラス（そのカテゴリスコアに対して肯定的な）の距離関係にあり負数であればその逆となる。こうした因子軸は統計的に有意性のある第ｊ軸まで測定される）を算出する（Ｓ１２０）。算出したカテゴリスコアの一例を図１２に示す。従ってカテゴリスコアの数値は変数Ａｉ（ｊ）として表現することが可能である。
【００５４】
Ｓ４２０に於いてカテゴリスコアの算出が為されたならば、カテゴリ、カテゴリスコアと因子軸との関係を参照しながら各々の因子軸がどのような意味を有するかを解釈する（Ｓ４３０）。即ち、各々の因子軸に対してのカテゴリスコアを図１３に示すようなグラフとして示すことにより、その解釈を実行する。図１３に因子第１軸の一例を示す。図１１に示した例では「保守的」と「革新的」「論理的」カテゴリが対立関係にあることから軸の正の方向は「伝統重んじる慎重型」、軸の負の方向は「新しいことに積極的型」と解釈を行っている。即ち各々の因子軸に対して２通りの解釈（正の解釈、負の解釈）を行い、且つ正・負の解釈いずれにも当てはまらない場合は中立の解釈を行い、一つのジャンルに対して合計２ｊ＋１（２×ｊ＋１）通りの解釈が行われることとなり、ユーザは少なくともこの中のどれかの因子属性を有することとなる。
【００５５】
Ｓ４３０に於ける全ての因子軸に対して解釈が為されたならば、算出されたカテゴリスコアに基づいて各ユーザの各因子軸に於けるサンプルスコアを算出する（Ｓ４４０）。サンプルスコアは各因子軸に於けるそのユーザの特徴（際立ち方）を表現しており、数量化理論第ＩＩＩ類から導出される数１に基づいて算出される。
（数１）
ｋ番目の人の第ｊ軸のサンプルスコア
＝Σ（Ｘｉ（ｋ）×Ａｉ（ｊ））÷ΣＸｉ（ｋ）
【００５６】
任意のユーザの各因子軸におけるサンプルスコアについて最も際立って表現される数字は各サンプルスコアの絶対値の中で最大値を取るものであるから、その数値に従って、当該ユーザの因子属性が決定できる。即ち、ユーザの因子属性が属する因子軸は数２に示す式によって決定される。
（数２）
ユーザの属する因子軸
＝max(｜Σ（Ｘｉ（ｋ）×Ａｉ（ｊ））÷ΣＸｉ（ｋ）｜)
【００５７】
数２に於いてユーザの属する因子軸が決定すると、数１に於けるサンプルスコアが正数であるか否かによりそのユーザの属する因子属性が決定される。ユーザが数２の算出結果から、ユーザの属する因子軸が因子第１軸であり、且つ数１から算出されるサンプルスコアが正数であれば「伝統重んじる慎重型」、負数であれば「新しいことに積極的型」、又どちらにも当てはまらない場合は「中立型」とユーザの因子属性が決定されることとなる。本実施態様に於いては、ユーザが一つのジャンルに対して有する因子属性は、各々の因子軸の中から最も顕著な唯一つを選出していたが、当然の事ながら、ユーザは複数の因子属性を有するようにしてもよい。その際は、数１から算出されるサンプルスコアに基づいて各因子軸に対する属性を導出し、ユーザの因子属性を複数の因子軸から導出しても良い。
【００５８】
これを用いることにより、ユーザがＳ１００に於いてユーザ属性入力画面に入力した回答のパターンから例えば「性格」ジャンルに於いて「革新的」＝１、「積極的」＝０、「保守的」＝０を入力したユーザは「新しいことに積極的型」とユーザの因子属性を設定することが出来る。即ち、ユーザ属性入力画面に於いて入力した回答パターンからユーザがどの因子属性に該当するかをｓ（２ｊ＋１）通り（但し、ジャンルの数をｓとする）のパターンから選出すればよいこととなる。
【００５９】
従って、ユーザ属性データベース７を用いてｓ（２ｊ＋１）通りの回答パターンを定期的あるいは不定期的に分析しておけば、母集団に占めるユーザの属性を検証し因子属性を設定することが可能となる。又この分析を定期的あるいは不定期的に実行することにより母集団の変化と共に、ユーザの有する因子属性は変化することが明らかである。即ち、ユーザは一度の入力のみでユーザの客観的評価である因子属性が変化し、母集団に於けるユーザの占める位置を変化させることが可能となるのである。Ｓ４００からＳ４４０の分析後、この回答パターン（因子属性のジャンル毎のパターン）をユーザ属性分析手段８からユーザ検索手段９に送信しユーザ検索手段９にｓ（２ｊ＋１）通りの解釈（因子属性）とそれに対する回答パターンを格納し登録する（Ｓ４５０）。
【００６０】
ユーザ属性登録手段６に於いてユーザ端末３から入力された新規ユーザ属性情報を受信すると、ユーザ属性分析手段８に新規ユーザ属性情報を送信し、新規ユーザ属性情報の回答パターンとＳ４５０に於いてユーザ検索手段９に格納された回答パターンとの照合を行うことにより、当該新規ユーザの因子属性を決定する（Ｓ１３０）。この場合、全ての新規ユーザ属性情報の回答パターンと照合するのではなく、ある特定のジャンルのみを対象として照合しても良いことは言うまでもない。
【００６１】
次に広告属性の自動分類のプロセスを図６に示したフローチャート図を用いて説明する（Ｓ５００）。広告データベース１５には既に送信した広告情報が格納されている。この広告データベース１５を広告属性分析手段１２で検索し、格納されている広告情報から頻出キーワードを頻度の高い単語から抽出する（一例として頻出キーワードを５万件とする）（Ｓ５１０）。次に抽出された５万件の頻出キーワードに対して正又は負の近似性・類似性を比較する。近似性・類似性の比較は、同一広告情報から抽出される頻出単語間の相関係数又は相関関係を比較することにより実現する。場合によっては公知の文脈解析の手法を付加し近似性・類似性の比較を行っても良い。以上のようにして頻出単語を該当するキーワード群に収束させ（Ｓ５２０）、それを広告属性データベース１１に格納する（Ｓ５３０）。即ち、広告属性データベースには、キーワード群が広告属性として保持されていることとなる。又、キーワード索引データーベース１４に、キーワード群とそのキーワード群に属する頻出単語の対応関係を登録し格納する。
【００６２】
一方、広告情報提供者が自らの広告を広告送信システム１を介して送信をしようとした場合、広告情報提供者サーバ４から送信する広告（広告情報）をサーバ２に送信し送信要求を行う。図１４に送信される広告の一例を示す。
【００６３】
広告情報提供者サーバ４からの送信要求と広告情報をサーバ２の広告情報受信手段１３で受信すると（Ｓ１４０）、 その広告情報を広告属性分析手段１２に送信する。広告属性分析手段１２で広告情報を受信すると、広告属性分析手段１２は、広告情報の文章解析を実行し広告情報に含まれるキーワードを抽出する（Ｓ１５０）。
【００６４】
Ｓ１５０に於いて抽出されたキーワードが広告属性データベース１１に格納されたキーワード群のどれに所属するかを、キーワード索引データベース１４を参照し決定する。該当したキーワード群は、その広告情報の属性であるので広告属性データベースに格納し広告情報の属性が自動的に分類されることとなる（Ｓ１６０）。
【００６５】
Ｓ１６０に於いて広告属性が自動分類された後、サーバ２は広告情報提供者サーバ４に広告情報の送信先を自動的に抽出するか手動で検索するかを選択する送信先抽出選択画面を送信する。送信先抽出選択画面の一例を図１６に示す。広告情報提供者は、広告情報提供者サーバ４に於いて受信した送信先抽出選択画面から広告情報の送信先を自動で抽出するか手動で検索するかを選択する（Ｓ１７０）。
【００６６】
Ｓ１７０の送信先抽出選択画面に於いて、広告情報提供者が自動で抽出することを選択した場合、Ｓ１６０に於いて分類された広告属性情報を検索キーとしてそれと対応する因子属性及び／又はユーザ属性をユーザ属性データベース７及び／又は動的ユーザ属性データベース１０から検索し（Ｓ１８０）、各々のデータベースから抽出する（Ｓ１９０）ことにより、配信対象となるユーザを抽出する。この際にユーザの客観的な評価である因子属性に基づいてもよいし、ユーザの自発的な登録であるユーザ属性によっても良い。又広告属性に含まれるキーワードに対応する商品のライフサイクル等を勘案し、ユーザの反応期間（過去にユーザに広告情報を配信した時点からの経過期間）等も考慮させ自動的に検索させても良い。
【００６７】
Ｓ４５０に於いて抽出された該当ユーザ数を広告情報提供者サーバ４に送信し表示させる（Ｓ２００）。一般に広告を送信するユーザ数に応じて費用が異なるので広告情報提供者は前記該当ユーザ数を元に広告属性を決定することが出来てもよい。以上により決定した広告情報をユーザ検索手段９から配信手段１６に送信し配信手段１６から該当するユーザが有するユーザ端末３に送信する（Ｓ２１０）。
【００６８】
配信手段１６は、送信した広告情報の広告属性を動的ユーザ属性データベース１０に送信し、送信したユーザ毎の広告属性を登録し格納する（Ｓ２２０）。又同時に広告属性分析手段１２は広告データベース１５に送信した新規の広告情報として格納する。
【００６９】
Ｓ２２０に於いて送信された広告情報を受信したユーザ端末３は、広告情報を閲覧する（Ｓ２３０）。ユーザが広告情報をクリックして何らかの反応を示した場合、ユーザ端末３からサーバ２に対してユーザを特定する情報（一例としてユーザＩＤとする）と広告情報を特定する情報（一例として広告ＩＤとする）を送信しサーバ２で取得する（Ｓ２４０）。サーバ２の配信手段１６でユーザＩＤと広告ＩＤを受信すると、広告情報提供者サーバ４にジャンプし、より詳細な広告をユーザ端末３上に表示させる。即ち、ユーザ端末３上に該当ＵＲＬのウェブページを表示させることとなる。
【００７０】
又Ｓ２４０に於いて受信した広告ＩＤを配信手段１６は広告属性分析手段１２に送信し、広告属性分析手段は広告ＩＤに基づいて広告属性データベース１１に格納されている広告属性を取得する（Ｓ２５０）。Ｓ２５０に於いて取得した広告属性とユーザＩＤとが配信手段１６から動的ユーザ属性データベース１０に送信され、広告情報にクリック（反応）したことを示す情報が動的ユーザ属性データベース１０に登録し格納される（Ｓ２６０）。即ち、動的ユーザ属性データベース１０には送信された広告の該当広告属性毎に「１」（送信有）として登録・格納され広告属性が送信済み情報として登録・格納される。
【００７１】
広告情報をこれから送信し過去の送信結果に対する反応を知りたい場合、送信結果検索画面をサーバ２に要求し表示させる。送信結果検索画面の一例を図２１に示す。広告情報提供者は広告情報提供者サーバ４から抽出する期間等の選択情報を送信し、サーバ２は選択情報を受信する。サーバ２は、選択情報に基づいて動的ユーザ属性データベース１０から一定期間内に指定した属性に該当する広告情報の送信数と反応数を抽出し、それらが記載されたクリック数確認画面を広告情報提供者サーバ４に送信し表示させる（Ｓ２７０）。反応数確認画面の一例を図１７に示す。
【００７２】
又、広告情報提供者が送信した広告情報の反応を知りたい場合、該当する広告情報の反応結果を確認する画面（反応結果確認画面）（図示せず）から反応結果の確認要求を送信し、サーバ２は確認要求を受信する。サーバ２は、確認要求に基づいて動的ユーザ属性データベース１０から当該広告に該当する広告情報の送信数と反応数を抽出しそれらが記載された広告反応確認画面（図示せず）を情報提供者サーバ４に送信し表示させる。又この際に広告情報提供者が要求しなくとも広告送信し一定期間経過後、自動的にサーバ２が広告反応確認画面を広告情報提供者サーバ４に送信し表示させても良い。
【００７３】
Ｓ１７０の送信先抽出選択画面に於いて、広告情報提供者が手動で実行することを選択した場合、それが自然文による検索か否かを選択する（Ｓ２８０）。Ｓ２８０に於いて自然文による検索を選択した場合、サーバ２から広告情報提供者サーバ４に自然文入力画面が送信される。自然文入力画面は自然文によりユーザ検索が実行できる画面でありその一例を図１８に示す。
【００７４】
自然文入力画面の入力欄に広告情報提供者は広告情報提供者サーバ４から検索文（例えば「ファッションやブランドに敏感で且つスポーツカーに関心を抱く人」）を入力する（Ｓ２９０）。入力した検索文を広告情報提供者サーバ４からサーバ２のユーザ検索手段９に送信する。検索文を受信したユーザ検索手段９は、検索文の文章解析を実行し検索文に含まれるキーワードを抽出する（Ｓ３００）（一例として「ファッション」「ブランド」「スポーツカー」が抽出されたとする）。
【００７５】
Ｓ３００に於いて抽出したキーワードをキーワード索引データベース１４に問い合わせ、抽出されたキーワードがどのキーワード群に属するのかを検索する。即ち、この例ではキーワード「ファッション」はキーワード群「ファッション」、キーワード「ブランド」はキーワード群「ファッション」、キーワード「スポーツカー」はキーワード群「クルマ」とのように対応する。又、広告情報提供者は広告情報提供者サーバ４から自然文入力画面に於いて、反応期間（即ちいつ以降のデータから抽出するか）を入力し選択させる（Ｓ３１０）。Ｓ３１０に於いて選択された反応期間とキーワード群とから動的ユーザ属性データベース１０を検索し、ユーザ毎の総反応数を算出し得点化する。その得点化されたユーザを動的ユーザ属性データベース１０より抽出し（Ｓ３２０）、Ｓ２００からＳ２７０のプロセスを実行させる。Ｓ３１０に於いて反応期間を選択させるか否かは必須ではないが、選択することによりライフサイクル等を勘案した効果的な広告送信が可能となる。
【００７６】
又Ｓ２８０に於いて自然文による検索を実行しない場合には、サーバ２から広告情報提供者サーバ４に属性検索画面が送信される。属性検索画面は、反応期間、反応回数、反応属性等により送信先となるユーザを抽出しそのユーザに対して広告情報の送信を実行する画面である。図１９に属性検索画面の一例を示す。
【００７７】
広告情報提供者は、属性検索画面を介して過去の任意の時点に於ける情報を対象にするか（反応期間の選択）（Ｓ３３０）、どれだけ反応があったユーザを対象にするか（Ｓ３４０）、どのような広告属性に反応があったユーザを対象にするか（Ｓ３５０）等を選択する。Ｓ３３０からＳ３５０に於いて選択した情報に基づいて動的ユーザ属性データベース１０から検索を該当するユーザを抽出し、Ｓ２００からＳ２７０のプロセスを実行させる。
【００７８】
Ｓ３１０あるいはＳ３３０に於いて反応期間を選択することにより、従来は行うことが困難であった、ユーザ属性を過去に遡及してその属性に応じて広告送信が行うことが可能となる。即ち、ある商品に関する広告情報を送信したい場合に、その商品のライフサイクルに該当する期間だけ遡及した時点に於いて反応が顕著であったユーザを抽出させ、そのユーザに対して広告情報を送信できればそれだけ効率の良い広告情報の送信が行えることとなる。
【００７９】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。又本実施態様に於いては、サーバは一つであるが複数のサーバあるいは端末に分散して具備されていても良い。
【００８０】
この場合、記憶媒体から読み出されたプログラム自体が前記した実施態様の機能を実現することとなり、そのプログラムを記憶した記録媒体は本発明を当然のことながら構成することになる。
【００８１】
プログラムコードを供給するための記憶媒体としては、例えばフロッピーディスク、ハードディスク、光ディスク、光磁気ディスク、磁気テープ、不揮発性のメモリカード等を使用することができる。
【００８２】
また、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部または全部を行い、その処理によって前記した実施態様の機能が実現される場合も含まれることは言うまでもない。
【００８３】
さらに、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。 
【産業上の利用可能性】
【００８４】
本発明により、
（１）ユーザが自発的に入力したユーザ属性を元に母集団の中での位置を客観的に評価することが可能となった。
（２）因子属性という概念を用いることによりユーザは一回だけユーザ属性を入力すれば、その後のユーザ属性が母集団に於いてどのように変化しているかを自動的に修正していくことが可能となった。
（３）広告情報が有する属性を自動解析させることにより人為的なミスを防止し、なおかつ精確な広告属性の付加が可能となり、より効果的な広告送信が可能となった。
（４）ユーザの反応を過去に遡及し分析できることにより、商品のライフサイクル等を勘案した広告送信等、より効果的な広告効果を現出させることが可能となった。
（５）客観的な評価をプロセスに付加させることにより、従来の広告送信システムより送信先の精確なターゲティングが可能となり、併せて時間的、費用的削減が可能となった。
（６）複数セッションを通して同一ユーザであることを認識でき、そのユーザを特定することが可能となった。
【図面の簡単な説明】
【００８５】
【図１】本発明のシステム構成の一例を示したシステム構成図の一例である。
【図２】本発明のプロセスの一例を示したフローチャート図の一枚目である。
【図３】本発明のプロセスの一例を示したフローチャート図の二枚目である。
【図４】本発明のプロセスの一例を示したフローチャート図の三枚目である。
【図５】因子属性パターンプロセスの一例を示したフローチャート図である。
【図６】広告キーワード分類プロセスの一例を示したフローチャート図である。
【図７】動的属性データベースの構造を示した概念図である。
【図８】広告属性データベースの構造を示した概念図である。
【図９】キーワード索引データベースの構造を示した概念図である。
【図１０】ユーザ属性入力画面の一例を示した図である。
【図１１】ユーザ属性データベースの構造を示した概念図である。
【図１２】カテゴリスコアの算出を示した概念図である。
【図１３】因子軸の解釈を示した概念図である。
【図１４】送信する広告の一例を示した図である。
【図１５】キーワードとキーワード群の関係を示した概念図である。
【図１６】送信先抽出選択画面の一例を示した図である。
【図１７】反応数確認画面の一例を示した図である。
【図１８】自然文入力画面の一例を示した図である。
【図１９】属性検索画面の一例を示した図である。
【図２０】ユーザ属性入力画面で質問するユーザ属性の一覧の一例を示した図である。
【図２１】送信結果検索画面の一例を示した図である。
【符号の説明】
【００８６】
１：広告送信システム
２：サーバ
３：ユーザ端末
４：広告情報提供者サーバ
５：ネットワーク
６：ユーザ属性登録手段
７：ユーザ属性データベース
８：ユーザ属性分析手段
９：ユーザ検索手段
１０：動的ユーザ属性データベース
１１：広告属性データベース
１２：広告属性分析手段
１３：広告情報受信手段
１４：キーワード索引データベース
１５：広告データベース
１６：配信手段
【図１】
2007026456.tif 000003
【図２】
2007026456.tif 000004
【図３】
2007026456.tif 000005
【図４】
2007026456.tif 000006
【図５】
2007026456.tif 000007
【図６】
2007026456.tif 000008
【図７】
2007026456.tif 000009
【図８】
2007026456.tif 000010
【図９】
2007026456.tif 000011
【図１０】
2007026456.tif 000012
【図１１】
2007026456.tif 000013
【図１２】
2007026456.tif 000014
【図１３】
2007026456.tif 000015
【図１４】
2007026456.tif 000016
【図１５】
2007026456.tif 000017
【図１６】
2007026456.tif 000018
【図１７】
2007026456.tif 000019
【図１８】
2007026456.tif 000020
【図１９】
2007026456.tif 000021
【図２０】
2007026456.tif 000022
【図２１】
2007026456.tif 000023